(57)【要約】      （修正有）【課題】低周波成分の情報を含むデータを収集している間は特に動かないように被検者に意識させる。【解決手段】低周波成分の情報を含むビューＶｉ〜Ｖ−（ｊ−１）のデータが収集される順番が来る直前に、「これより重要な撮影に入りますので、ｘ２秒特に動かないようお願いします。」という音声メッセージＡ２を出力する。そして、低周波成分の情報を含むビューＶｉ〜Ｖ−（ｊ−１）のデータの収集が終了した直後に、「重要な撮影は終了しましたが、撮影は続いていますので、できる限り動かないようお願いします。」という音声メッセージＡ３を出力する。【選択図】図３
2013230181.tif 000002
【特許請求の範囲】
【請求項１】
被検者をスキャンし、ｋ空間の低周波成分の情報を含むデータと、ｋ空間の高周波成分の情報を含むデータとを収集する磁気共鳴装置であって、
前記被検者がスキャン中に動かないようにするためのメッセージを前記被検者に知らせる報知手段と、
前記ｋ空間の低周波成分の情報を含むデータが収集される順番に基づいて、前記メッセージを前記被検者に知らせるタイミングを設定する設定手段と、
を有する磁気共鳴装置。
【請求項２】
前記メッセージには、前記被検者に動きを止めてもらう時間が含まれており、
前記時間の間に、前記ｋ空間の低周波成分の情報を含むデータが収集される、請求項１に記載の磁気共鳴装置。
【請求項３】
前記被検者のスキャンを開始してから終了するまでの期間は、複数の期間に分けられ、
前記ｋ空間の低周波成分の情報を含むデータは、前記複数の期間のうちの第１の期間に収集され、
前記設定手段は、
前記第１の期間が開始される前に前記メッセージが前記被検者に知らされるように、前記メッセージのタイミングを設定する、請求項１又は２に記載の磁気共鳴装置。
【請求項４】
前記被検者のスキャンを開始してから終了するまでの期間は、複数の期間に分けられ、
前記ｋ空間の低周波成分の情報を含むデータは、前記複数の期間のうちの２つ以上の期間に分けて収集され、
前記設定手段は、
前記２つ以上の期間の各々の期間が開始される前に前記メッセージが前記被検者に知らされるように、前記メッセージのタイミングを設定する、請求項１又は２に記載の磁気共鳴装置。
【請求項５】
前記被検者のスキャンを開始してから終了するまでの期間は、複数の期間に分けられ、
前記ｋ空間の低周波成分の情報を含むデータは、前記複数の期間のうちの２つ以上の期間に分けて収集され、
前記設定手段は、
前記２つ以上の期間のうちの最初の期間の開始前に前記メッセージが前記被検者に知らされるように、前記メッセージのタイミングを設定する、請求項１又は２に記載の磁気共鳴装置。
【請求項６】
前記ｋ空間は複数のビューを有しており、
前記ｋ空間の低周波成分の情報を含むデータは、前記複数のビューのうちの一部のビューに配置される、請求項１〜５のうちのいずれか一項に記載の磁気共鳴装置。
【請求項７】
前記設定手段は、
前記スキャンを開始してから待ち時間が経過した時点で前記メッセージが前記被検者に知らされるように、前記メッセージのタイミングを設定する、請求項１〜６のうちのいずれか一項に記載の磁気共鳴装置。
【請求項８】
前記設定手段は、
前記被検者の生体信号に基づいて前記待ち時間を決定する、請求項７に記載の磁気共鳴装置。
【請求項９】
前記生体信号は、心電信号、脈波信号、又は呼吸信号である、請求項８に記載の磁気共鳴装置。
【請求項１０】
前記設定手段は、
前記スキャンを開始する前に前記メッセージが前記被検者に知らされるように、前記メッセージのタイミングを設定する、請求項１〜６のうちのいずれか一項に記載の磁気共鳴装置。
【請求項１１】
前記設定手段は、
前記ｋ空間のビューの中から、前記メッセージを前記被検者に知らせるためのトリガとなる第１のビューを決定し、前記第１のビューのデータが収集されるときに、前記メッセージが前記被検者に知らされるように、前記メッセージのタイミングを設定する、請求項１〜６のうちのいずれか一項に記載の磁気共鳴装置。
【請求項１２】
前記設定手段は、
前記被検者の生体信号に基づいて前記第１のビューを決定する、請求項１１に記載の磁気共鳴装置。
【請求項１３】
前記生体信号は、心電信号、脈波信号、又は呼吸信号である、請求項１２に記載の磁気共鳴装置。
【請求項１４】
前記報知手段は、スピーカ又は表示パネルである、請求項１〜１３のうちのいずれか一項に記載の磁気共鳴装置。
【請求項１５】
被検者をスキャンし、ｋ空間の低周波成分の情報を含むデータと、ｋ空間の高周波成分の情報を含むデータとを収集するときに、前記被検者がスキャン中に動かないようにするためのメッセージを前記被検者に知らせる磁気共鳴装置のプログラムであって、
前記ｋ空間の低周波成分の情報を含むデータが収集される順番に基づいて、前記メッセージを前記被検者に知らせるタイミングを設定する設定処理、
を計算機に実行させるためのプログラム。
【発明の詳細な説明】
【技術分野】
【０００１】
本発明は、被検者をスキャンする磁気共鳴装置、および磁気共鳴装置に適用されるプログラムに関する。
【背景技術】
【０００２】
磁気共鳴装置で被検者をスキャンする場合、スキャン中に被検者が動いてしまうと、体動アーチファクトが発生する原因になる。そこで、撮影スタッフは、スキャン前に、被検者にできるだけ動かないように説明をする。また、被検者にできるだけ動かないように音声で指示をするオートボイス（auto voice）機能を備えた磁気共鳴装置も知られている（特許文献１参照）。
【先行技術文献】
【特許文献】
【０００３】
【特許文献１】特開２００８−０４３７２５号公報
【発明の概要】
【発明が解決しようとする課題】
【０００４】
被検者は、できるだけ動かないように意識していても、スキャンが終了するまでには、ある程度の時間がかかるので、スキャンの途中で頭部が動いてしまうことがある。この場合、高周波成分の情報を収集しているときに頭部が動いたのであれば、画質に与える影響は比較的小さいが、低周波成分の情報を収集しているときに頭部が動いてしまうと、画質が大きく劣化してしまうことがある。したがって、低周波成分の情報を含むデータを収集している間は、動かないように被検者に特に意識してもらうことが重要となる。しかし、被検者は、「スキャン中はなるべく動かないように」と指示されただけでは、どの時点で低周波成分の情報を含むデータが収集されるのか知ることはできない。したがって、被検者は、低周波成分の情報を含むデータを収集しているときに特に動かないように意識することはできない。そこで、低周波成分の情報を含むデータを収集している間は特に動かないように被検者に指示できることが望まれている。
【課題を解決するための手段】
【０００５】
本発明の第１の態様は、被検者をスキャンし、ｋ空間の低周波成分の情報を含むデータと、ｋ空間の高周波成分の情報を含むデータとを収集する磁気共鳴装置であって、
前記被検者がスキャン中に動かないようにするためのメッセージを前記被検者に知らせる報知手段と、
前記ｋ空間の低周波成分の情報を含むデータが収集される順番に基づいて、前記メッセージを前記被検者に知らせるタイミングを設定する設定手段とを有する磁気共鳴装置である。
【０００６】
本発明の第２の態様は、被検者をスキャンし、ｋ空間の低周波成分の情報を含むデータと、ｋ空間の高周波成分の情報を含むデータとを収集するときに、前記被検者がスキャン中に動かないようにするためのメッセージを前記被検者に知らせる磁気共鳴装置のプログラムであって、
前記ｋ空間の低周波成分の情報を含むデータが収集される順番に基づいて、前記メッセージを前記被検者に知らせるタイミングを設定する設定処理、
を計算機に実行させるためのプログラムである。
【発明の効果】
【０００７】
ｋ空間の低周波成分の情報を含むデータが収集される順番に基づいて、メッセージを被検者に知らせるタイミングを設定する。したがって、低周波成分の情報を含むデータを収集するときに、被検者に動かないように意識させることができる。
【図面の簡単な説明】
【０００８】
【図１】第１の形態の磁気共鳴装置の概略図である。
【図２】第１の形態で実行されるスキャンＳＣ１の説明図である。
【図３】スキャンＳＣ１を実行するときに流される音声メッセージの説明図である。
【図４】第２の形態において、音声メッセージＡ２を出力するタイミングを決定する方法の説明図である。
【図５】第３の形態で実行されるスキャンＳＣ２の説明図である。
【図６】スキャンＳＣ２を実行するときに流される音声メッセージの説明図である。
【図７】第４の形態で実行されるスキャンＳＣ３の説明図である。
【図８】スキャンＳＣ３を実行するときに流される音声メッセージの説明図である。
【図９】第５の形態で実行されるスキャンＳＣ４の説明図である。
【図１０】スキャンＳＣ４を実行するときに流される音声メッセージの説明図である。
【図１１】第６の形態で実行されるスキャンＳＣ５の説明図である。
【図１２】スキャンＳＣ５を実行するときに流される音声メッセージの説明図である。
【図１３】音声メッセージＥ３およびＥ４を省略した場合の説明図である。
【発明を実施するための形態】
【０００９】
以下、発明を実施するための形態について説明するが、本発明は、以下の形態に限定されることはない。
【００１０】
（１）第１の形態
図１は、第１の形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１１】
マグネット２は、被検者１２が収容されるボア２１、超伝導コイル２２、勾配コイル２３、ＲＦコイル２４などを有している。超伝導コイル２２は静磁場を印加し、勾配コイル２３は勾配磁場を印加し、ＲＦコイル２４はＲＦパルスを送信する。尚、超伝導コイル２２の代わりに、永久磁石を用いてもよい。
【００１２】
また、マグネット２の後側には、被検者１２に音声メッセージを知らせるためのスピーカ５が取り付けられている。
【００１３】
テーブル３は、被検者１２を支持するためのクレードル３ａを有している。クレードル３ａがボア２１に移動することによって、被検者１２がボアに搬入される。
受信コイル４は被検者１２に取り付けられている。
【００１４】
ＭＲ装置１００は、更に、送信器６、勾配磁場電源７、受信器８、制御部９、操作部１０、および表示部１１を有している。
【００１５】
送信器６は、ＲＦコイル２４に電流を供給する。
勾配磁場電源７は、勾配コイル２３に電流を供給する。
受信器８は、受信コイル４で受信された磁気共鳴信号を信号処理し、制御部９に出力する。
【００１６】
制御部９は、表示部１１に必要な情報を伝送したり、受信器８から受け取ったデータに基づいて画像を再構成するなど、ＭＲ装置１００の各種の動作を実現するように、ＭＲ装置１００の各部の動作を制御する。制御部９は、例えばコンピュータ（computer）によって構成される。制御部９は、タイミング設定手段９１および再構成手段９２などを有している。
【００１７】
タイミング設定手段９１は、スピーカ５から音声メッセージを出力するときのタイミングを設定する。再構成手段９２は画像を再構成する。
【００１８】
制御部９は、タイミング設定手段９１および再構成手段９２を構成する一例であり、所定のプログラムを実行することにより、これらの手段として機能する。
【００１９】
操作部１０は、オペレータにより操作され、種々の情報を制御部９に入力する。表示部１１は種々の情報を表示する。
ＭＲ装置１００は、上記のように構成されている。
【００２０】
次に、第１の形態で実行されるスキャンについて説明する。尚、以下の説明では、被検者の頭部を撮影する場合について説明するが、本発明の撮影部位は頭部に限定されることはなく、本発明は、頭部以外の部位（例えば、脚部、腹部）を撮影する場合にも適用することができる。
【００２１】
図２は、第１の形態で実行されるスキャンＳＣ１の説明図である。
図２の下側にはｋ空間が示されている。ここでは、２５６本のビューＶ１２８〜Ｖ−１２７を有するｋ空間の例が示されている。ビューＶ１２８〜Ｖ−１２７に配置されるデータは、シーケンシャルオーダーで収集される。また、図２の上側には、スキャンＳＣ１の開始時点ｔ１０から終了時点ｔ４０までに収集されるビューのデータを、３つの期間Ｐ１（時点ｔ１０〜時点ｔ２０）、期間Ｐ２（時点ｔ２０〜時点ｔ３０）、期間Ｐ３（時点ｔ３０〜時点ｔ４０）に分けて示している。
【００２２】
期間Ｐ１（時点ｔ１０〜時点ｔ２０）では、ビューＶ１２８〜Ｖｉ＋１のデータが収集される。ビューＶ１２８〜Ｖｉ＋１には、高周波成分の情報を含むデータが配置される。
【００２３】
期間Ｐ２（時点ｔ２０〜時点ｔ３０）では、ビューＶｉ〜Ｖ−（ｊ−１）のデータが収集される。ビューＶｉ〜Ｖ−（ｊ−１）には、低周波成分の情報と高周波成分の情報とを含むデータが配置される。
【００２４】
期間Ｐ３（時点ｔ３０〜時点ｔ４０）では、ビューＶ−ｊ〜Ｖ−１２７のデータが収集される。ビューＶ−ｊ〜Ｖ−１２７には、高周波成分の情報を含むデータが配置される。
【００２５】
スキャンＳＣ１の間は、体動アーチファクトを低減するために、被検者は頭部を動かさないことが望ましい。しかし、スキャンＳＣ１が終了するまでには、ある程度の時間がかかるので、オペレータから「スキャン中はできるだけ動かないように」という説明を受けていても、スキャンＳＣ１の途中で頭部が動いてしまうことがある。この場合、高周波成分の情報を収集しているときに頭部が動いたのであれば、画質に与える影響は比較的小さいが、低周波成分の情報を収集しているときに頭部が動いてしまうと、画質が大きく劣化してしまうことがある。したがって、低周波成分の情報を含むデータを収集している間は、頭部が動かないように被検者に特に意識してもらうことが重要となる。そこで、本形態では、低周波成分の情報を含むデータを収集しているときに、被検者に頭部を動かさないように特に意識してもらうために、以下のような音声メッセージを出力しながら、スキャンＳＣ１を実行する。
【００２６】
図３は、スキャンＳＣ１を実行するときに出力される音声メッセージの説明図である。
スキャンＳＣ１を実行するときには、スピーカ５（図１参照）から４つの音声メッセージＡ１、Ａ２、Ａ３、Ａ４が出力される。これらの音声メッセージＡ１、Ａ２、Ａ３、Ａ４を出力するときのタイミングは、スキャンＳＣ１を実行する前に設定される。以下に、音声メッセージＡ１、Ａ２、Ａ３、Ａ４を出力するときのタイミングを設定する方法について説明する。
【００２７】
（ｉ）音声メッセージＡ１について
音声メッセージＡ１は、以下のようなメッセージである。
「これからスキャンを開始します。スキャン時間はｘ１分です。なるべく動かないようにしてください。」
【００２８】
ｘ１は、例えばｘ１＝１分である。タイミング設定手段９１（図１参照）は、スキャンＳＣ１の開始時点ｔ１０の直前に音声メッセージＡ１が出力されるように、音声メッセージＡ１を出力するときのタイミングを設定する。スキャンＳＣ１の開始時点ｔ１０の直前に音声メッセージＡ１が流れるので、被検者は、スキャンＳＣ１の直前に、なるべく動かないように意識することができる。被検者になるべく動かないように意識させておき、スキャンＳＣ１を開始する。
【００２９】
（ii）音声メッセージＡ２について
音声メッセージＡ２は、以下のようなメッセージである。
「これより重要な撮影に入りますので、ｘ２秒特に動かないようお願いします。」
ここで、ｘ２秒は、重要な撮影を行うときに、被検者に動きを止めてもらう時間を表している。
【００３０】
タイミング設定手段９１は、低周波成分の情報を含むビューＶｉ〜Ｖ−（ｊ−１）のデータが収集される順番が来る直前に音声メッセージＡ２が出力されるように、音声メッセージＡ２を出力するときのタイミングを設定する。この設定は、以下のようにして行う。
【００３１】
先ず、タイミング設定手段９１は、低周波成分の情報を含むビューＶｉ〜Ｖ−（ｊ−１）のデータが収集される順番を検出する。ｋ空間のビューのデータの収集順序は決まっているので、タイミング設定手段９１は、低周波成分の情報を含むビューＶｉ〜Ｖ−（ｊ−１）のデータが収集される順番を検出することができる。次に、タイミング設定手段９１は、低周波成分の情報を含むビューＶｉ〜Ｖ−（ｊ−１）のデータを収集する順番が来る前に音声メッセージＡ２が出力されるように、音声メッセージＡ２の開始時点ｔ１１を設定する。ここでは、音声メッセージＡ２の開始時点ｔ１１は、スキャンＳＣ１の開始時点ｔ１０から待ち時間ΔＴａが経過した時点に設定されている。タイミング設定手段９１は、音声メッセージＡ２の時間長ａ２を考慮して、ビューＶｉ〜Ｖ−（ｊ−１）のデータ収集開始時点ｔ２０の前に音声メッセージＡ２が終了するように、待ち時間ΔＴａを設定する。
【００３２】
スキャンＳＣ１を開始してから待ち時間ΔＴａが経過した時点ｔ１１で音声メッセージＡ２の出力を開始することにより、被検者は、低周波成分の情報を含むビューＶｉ〜Ｖ−（ｊ−１）のデータを収集する順番が来る直前に音声メッセージＡ２を聞き終えることができる。したがって、低周波成分の情報を含むビューＶｉ〜Ｖ−（ｊ−１）のデータを収集する直前の段階で、被検者に、ｘ２秒特に動かないように意識させることができる。尚、ｘ２は、低周波成分の情報を含むビューＶｉ〜Ｖ−（ｊ−１）のデータを収集し終わるまでに必要な時間を考慮して設定されている。例えば、ｘ２＝２５秒である。したがって、被検者が特に動かないように意識している間に、低周波成分の情報を含む全てのビューＶｉ〜Ｖ−（ｊ−１）のデータを収集することができる。
【００３３】
（iii）音声メッセージＡ３について
音声メッセージＡ３は、以下のようなメッセージである。
「重要な撮影は終了しましたが、撮影は続いていますので、できる限り動かないようお願いします。」
【００３４】
タイミング設定手段９１は、ビューＶｉ〜Ｖ−（ｊ−１）のデータ収集の終了時点ｔ３０の直後に、被検者が音声メッセージＡ３を聞くことができるように、音声メッセージＡ３を出力するタイミングを設定する。被検者は、音声メッセージＡ３を聞くことによって、重要な撮影が終了したことを知ることができるので、被検者の精神的負担を軽減することができる。
【００３５】
（iv）音声メッセージＡ４について
音声メッセージＡ４は、以下のようなメッセージである。
「スキャンは終了しました。楽にしてください。」
【００３６】
タイミング設定手段９１は、ｋ空間の全てのビューのデータ収集の終了時点ｔ４０の直後に、被検者が音声メッセージＡ４を聞くことができるように、音声メッセージＡ４を出力するタイミングを設定する。被検者は、音声メッセージＡ４を聞くことによって、スキャンが終了したことを知ることができる。
【００３７】
以上説明したように、スキャンＳＣ１を実行する場合、低周波成分の情報を含むビューＶｉ〜Ｖ−（ｊ−１）のデータが収集される順番に基づいて、音声メッセージＡ２を出力するタイミングを設定している。したがって、画質に与える影響が大きい低周波成分の情報を収集している間は、被検者に、特に動かないように意識させることができるので、高品質な画像を取得することができる。
【００３８】
（２）第２の形態
第２の形態でも、第１の形態と同様に、スキャンＳＣ１中に音声メッセージＡ１、Ａ２、Ａ３、およびＡ４を出力する例について説明する。
【００３９】
第２の形態では、音声メッセージＡ２を出力するタイミングの決定方法が、第１の形態と異なるが、その他の音声メッセージＡ１、Ａ３、Ａ４を出力するタイミングの決定方法は、第１の形態と同じである。したがって、第２の形態の説明に当たっては、音声メッセージＡ２を出力するタイミングの決定方法について主に説明する。尚、ＭＲ装置のハードウェア構成は、第１の形態と同じである。
【００４０】
図４は、第２の形態において、音声メッセージＡ２を出力するタイミングを決定する方法の説明図である。
タイミング設定手段９１は、第１の形態と同様に、低周波成分の情報を含むビューＶｉ〜Ｖ−（ｊ−１）のデータが収集される順番を検出する。次に、タイミング設定手段９１は、ビューＶｉ〜Ｖ−（ｊ−１）よりも先にデータが収集されるビューＶ１２８〜Ｖｉ＋１の中から、音声メッセージＡ２を開始するトリガとなるビューＶｈを決める。第２の形態では、このビューＶｈのデータが収集される順番がきたら、音声メッセージＡ２を開始するためのトリガを発生し、このトリガに同期して、音声メッセージＡ２の出力を開始する。
【００４１】
ビューＶｈのデータは、低周波成分の情報を含むビューＶｉ〜Ｖ−（ｊ−１）のデータよりも先に収集されるので、ビューＶｈのデータ収集開始時点ｔ１１から、ビューＶｉ〜Ｖ−（ｊ−１）のデータ収集開始時点ｔ２０までには、ΔＴの時間が掛かる。したがって、音声メッセージＡ２の時間長ａ２よりも時間ΔＴが長くなるようにビューＶｈを決めておけば、低周波成分の情報を含むビューＶｉ〜Ｖ−（ｊ−１）のデータを収集する前に、被検者に音声メッセージＡ２を聞かせることができる。音声メッセージＢの時間長ａ２は既知であるので、タイミング設定手段９１は、ビューＶｉ〜Ｖ−（ｊ−１）のデータを収集する順番が来る前に被検者が音声メッセージＡ２を聞き終えることができるように、ビューＶｈを決定することができる。
このように、音声メッセージＡ２を開始するためのトリガとなるビューＶｈを決めておき、音声メッセージＡ２を出力するようにしてもよい。
【００４２】
（３）第３の形態
第３の形態では、第１および第２の形態とは別のオーダリングでｋ空間のビューのデータを収集する場合について説明する。尚、ＭＲ装置のハードウェア構成は、第１の形態と同じである。
【００４３】
図５は、第３の形態で実行されるスキャンＳＣ２の説明図である。
図５の下側にはｋ空間が示されている。ここでは、２５６本のビューＶ１２８〜Ｖ−１２７を有しているｋ空間の例が示されている。ビューＶ１２８〜Ｖ−１２７のデータは、セントリックオーダーで収集される。また、図５の上側には、スキャンＳＣ２の開始時点ｔ１０から終了時点ｔ３０までに収集されるビューのデータを、２つの期間Ｐ１（時点ｔ１０〜時点ｔ２０）、および期間Ｐ２（時点ｔ２０〜時点ｔ３０）に分けて示している。
【００４４】
期間Ｐ１（時点ｔ１０〜時点ｔ２０）では、ビューＶｉ〜Ｖ−（ｊ−１）のデータが収集される。ビューＶｉ〜Ｖ−（ｊ−１）には、低周波成分の情報と高周波成分の情報とを含むデータが配置される。
【００４５】
期間Ｐ２（時点ｔ２０〜時点ｔ３０）では、ビューＶ１２８〜Ｖｉ＋１のデータと、ビューＶ−ｊ〜Ｖ−１２７のデータが収集される。ビューＶ１２８〜Ｖｉ＋１およびビューＶ−ｊ〜Ｖ−１２７には、高周波成分の情報を含むデータが配置される。
【００４６】
第３の形態では、低周波成分の情報を含むデータを収集しているときに、被検者に頭部を動かさないように特に意識してもらうために、以下のような音声メッセージを出力しながら、スキャンＳＣ２を実行する。
【００４７】
図６は、スキャンＳＣ２を実行するときに流される音声メッセージの説明図である。
スキャンＳＣ２を実行するときには、スピーカ５から３つの音声メッセージＢ１、Ｂ２、Ｂ３が出力される。これらの音声メッセージＢ１、Ｂ２、Ｂ３を出力するときのタイミングは、スキャンＳＣ２を実行する前に設定される。以下に、音声メッセージＢ１、Ｂ２、Ｂ３を出力するときのタイミングを設定する方法について説明する。
【００４８】
（ｉ）音声メッセージＢ１について
スキャンＳＣ２では、スキャンＳＣ２の開始と同時に、低周波成分の情報を含むビューＶｉ〜Ｖ−（ｊ−１）のデータを収集する順番が来る。この場合、スキャンＳＣ２を開始する前に、以下のような音声メッセージＢ１が出力される。
「これからスキャンを開始します。スキャン時間はｘ１分です。なるべく動かないようにしてください。特に、スキャン開始からｘ２秒は重要な撮影ですので、これよりｘ２秒は特に動かないようお願いします。」
ここで、ｘ２秒は、重要な撮影を行うときに、被検者に動きを止めてもらう時間を表している。
【００４９】
ｘ１は、例えばｘ１＝１分であり、ｘ２は、例えばｘ２＝２５秒である。タイミング設定手段９１（図１参照）は、スキャンＳＣ２の開始時点ｔ１０の前（低周波成分の情報を含むビューＶｉ〜Ｖ−（ｊ−１）のデータが収集される順番が来る前）に音声メッセージＢ１が出力されるように、音声メッセージＢ１を出力するときのタイミングを設定する。スキャンＳＣ２の開始前に音声メッセージＢ１が流れるので、被検者に、スキャン開始直後からｘ２秒は特に動かないように意識させることができる。音声メッセージＢ１が終わった後に、スキャンＳＣ２が開始される。尚、ｘ２秒は、低周波成分の情報を含むビューＶｉ〜Ｖ−（ｊ−１）のデータを収集し終わるまでに必要な時間を考慮して設定されている。したがって、被検者が特に動かないように意識している間に、低周波成分の情報を含む全てのビューＶｉ〜Ｖ−（ｊ−１）のデータを収集することができる。
【００５０】
（ii）音声メッセージＢ２について
音声メッセージＢ２は、以下のようなメッセージである。
「重要な撮影は終了しましたが、撮影は続いていますので、できる限り動かないようお願いします。」
【００５１】
タイミング設定手段９１は、ビューＶｉ〜Ｖ−（ｊ−１）のデータ収集の終了時点ｔ２０の直後に、被検者が音声メッセージＢ２を聞くことができるように、音声メッセージＢ２を出力するタイミングを設定する。被検者は、音声メッセージＢ２を聞くことによって、重要な撮影が終了したことを知ることができるので、被検者の精神的負担を軽減することができる。
【００５２】
（iii）音声メッセージＢ３について
音声メッセージＢ３は、以下のようなメッセージである。
「スキャンは終了しました。楽にしてください。」
【００５３】
タイミング設定手段９１は、ｋ空間の全てのビューのデータ収集の終了時点ｔ３０の直後に、被検者が音声メッセージＢ３を聞くことができるように、音声メッセージＢ３を出力するタイミングを設定する。被検者は、音声メッセージＢ３を聞くことによって、スキャンが終了したことを知ることができる。
【００５４】
以上説明したように、第３の形態でも、低周波成分の情報を含むデータを収集している間は、被検者に特に動かないように意識させることができるので、高品質な画像を取得することができる。
【００５５】
（４）第４の形態
第４の形態では、第１〜第３の形態とは別のオーダリングでｋ空間のビューのデータを収集する場合について説明する。尚、ＭＲ装置のハードウェア構成は、第１の形態と同じである。
【００５６】
図７は、第４の形態で実行されるスキャンＳＣ３の説明図である。
図７の下側にはｋ空間が示されている。ここでは、２５６本のビューＶ１２８〜Ｖ−１２７を有しているｋ空間の例が示されている。ビューＶ１２８〜Ｖ−１２７のデータは、逆セントリックオーダーで収集される。また、図７の上側には、スキャンＳＣ３の開始時点ｔ１０から終了時点ｔ３０までに収集されるビューのデータを、２つの期間Ｐ１（時点ｔ１０〜時点ｔ２０）、および期間Ｐ２（時点ｔ２０〜時点ｔ３０）に分けて示している。
【００５７】
期間Ｐ１（時点ｔ１０〜時点ｔ２０）では、ビューＶ１２８〜Ｖｉ＋１のデータと、ビューＶーｊ〜Ｖ−１２７のデータが収集される。ビューＶ１２８〜Ｖｉ＋１およびビューＶーｊ〜Ｖ−１２７には、高周波成分の情報を含むデータが配置される。
【００５８】
期間Ｐ２（時点ｔ２０〜時点ｔ３０）では、ビューＶｉ〜Ｖ−（ｊ−１）のデータが収集される。ビューＶｉ〜Ｖ−（ｊ−１）には、低周波成分の情報と高周波成分の情報とを含むデータが配置される。
【００５９】
第４の形態ではでは、低周波成分の情報を含むビューＶｉ〜Ｖ−（ｊ−１）のデータを収集しているときに、被検者に頭部を動かさないように特に意識してもらうために、以下のような音声メッセージを出力しながら、スキャンＳＣ３を実行する。
【００６０】
図８は、スキャンＳＣ３を実行するときに流される音声メッセージの説明図である。
スキャンＳＣ３を実行するときには、スピーカ５から３つの音声メッセージＣ１、Ｃ２、Ｃ３が出力される。これらの音声メッセージＣ１、Ｃ２、Ｃ３を出力するときのタイミングは、スキャンＳＣ３を実行する前に設定される。以下に、音声メッセージＣ１、Ｃ２、Ｃ３を出力するときのタイミングを設定する方法について説明する。
【００６１】
（ｉ）音声メッセージＣ１について
音声メッセージＣ１は、以下のようなメッセージである。
「これからスキャンを開始します。スキャン時間はｘ１分です。なるべく動かないようにしてください。」
【００６２】
ｘ１は、例えばｘ１＝１分である。タイミング設定手段９１（図１参照）は、スキャンＳＣ３の開始時点ｔ１０の直前に音声メッセージＣ１が出力されるように、音声メッセージＣ１を出力するときのタイミングを設定する。スキャンＳＣ３の開始時点ｔ１０の直前に音声メッセージＣ１が流れるので、被検者は、スキャンＳＣ３の直前に、なるべく動かないように意識することができる。被検者になるべく動かないように意識させておき、スキャンＳＣ３を開始する。
【００６３】
（ii）音声メッセージＣ２について
音声メッセージＣ２は、以下のようなメッセージである。
「これより重要な撮影に入りますので、ｘ２秒特に動かないようお願いします。」
ここで、ｘ２秒は、重要な撮影を行うときに、被検者に動きを止めてもらう時間を表している。
【００６４】
タイミング設定手段９１は、低周波成分の情報を含むビューＶｉ〜Ｖ−（ｊ−１）のデータが収集される順番が来る直前に音声メッセージＣ２が出力されるように、音声メッセージＣ２を出力するときのタイミングを設定する。この設定は、以下のようにして行う。
【００６５】
先ず、タイミング設定手段９１は、低周波成分の情報を含むビューＶｉ〜Ｖ−（ｊ−１）のデータが収集される順番を検出する。ｋ空間のビューのデータの収集順序は決まっているので、タイミング設定手段９１は、低周波成分の情報を含むビューＶｉ〜Ｖ−（ｊ−１）のデータが収集される順番を検出することができる。次に、タイミング設定手段９１は、低周波成分の情報を含むビューＶｉ〜Ｖ−（ｊ−１）のデータを収集する順番が来る前に音声メッセージＣ２が出力されるように、音声メッセージＣ２の開始時点ｔ１１を設定する。ここでは、音声メッセージＣ２の開始時点ｔ１１は、スキャンＳＣ３の開始時点ｔ１０から待ち時間ΔＴａが経過した時点に設定されている。タイミング設定手段９１は、音声メッセージＣ２の時間長ｃ２を考慮して、ビューＶｉ〜Ｖ−（ｊ−１）のデータ収集開始時点ｔ２０の前に音声メッセージＣ２が終了するように、待ち時間ΔＴａを設定する。
【００６６】
スキャンＳＣ３を開始してから待ち時間ΔＴａが経過した時点ｔ１１で音声メッセージＣ２の出力を開始することにより、被検者は、ビューＶｉ〜Ｖ−（ｊ−１）のデータを収集する順番が来る直前に音声メッセージＣ２を聞き終えることができる。したがって、低周波成分の情報を含むビューＶｉ〜Ｖ−（ｊ−１）のデータを収集する直前の段階で、被検者に、ｘ２秒特に動かないように意識させることができる。ｘ２は、低周波成分の情報を含むビューＶｉ〜Ｖ−（ｊ−１）のデータを収集し終わるまでに必要な時間を考慮して設定されている。例えば、ｘ２＝２５秒である。したがって、被検者が特に動かないように意識している間に、低周波成分の情報を含む全てのビューＶｉ〜Ｖ−（ｊ−１）のデータを収集することができる。
【００６７】
尚、待ち時間ΔＴａを決定する代わりに、音声メッセージＣ２を開始するためのトリガとなるビューを決定することにより、音声メッセージＣ２を出力するタイミングを設定してもよい。
【００６８】
（iii）音声メッセージＣ３について
音声メッセージＣ３は、以下のようなメッセージである。
「スキャンは終了しました。楽にしてください。」
【００６９】
タイミング設定手段９１は、ｋ空間の全てのビューのデータ収集の終了時点ｔ３０の直後に、被検者が音声メッセージＣ３を聞くことができるように、音声メッセージＣ３を出力するタイミングを設定する。被検者は、音声メッセージＣ３を聞くことによって、スキャンが終了したことを知ることができる。
【００７０】
以上説明したように、第４の形態でも、低周波成分の情報を含むデータを収集している間は、被検者に特に動かないように意識させることができるので、高品質な画像を取得することができる。
【００７１】
（５）第５の形態
第１〜第４の形態では、低周波成分の情報を含むビューＶｉ〜Ｖ−（ｊ−１）のデータは、一つの期間の中で収集されている。しかし、低周波成分の情報を含むビューＶｉ〜Ｖ−（ｊ−１）のデータを、複数の期間に分けて収集してもよい。第５の形態では、低周波成分の情報を含むビューＶｉ〜Ｖ−（ｊ−１）のデータを、複数の期間に分けて収集する場合について説明する。尚、ＭＲ装置のハードウェア構成は、第１の形態と同じである。
【００７２】
図９は、第５の形態で実行されるスキャンＳＣ４の説明図である。
図９の下側にはｋ空間が示されている。ここでは、２５６本のビューＶ１２８〜Ｖ−１２７を有しているｋ空間の例が示されている。また、図９の上側には、スキャンＳＣ４の開始時点ｔ１０から終了時点ｔ４０までに収集されるビューのデータを、３つの期間Ｐ１（時点ｔ１０〜時点ｔ２０）、期間Ｐ２（時点ｔ２０〜時点ｔ３０）、期間Ｐ３（時点ｔ３０〜時点ｔ４０）に分けて示している。
【００７３】
期間Ｐ１（時点ｔ１０〜時点ｔ２０）では、低周波成分の情報を含むビューＶｉ〜Ｖ−（ｊ−１）のデータのうち、ビューＶ０〜Ｖ−（ｊ−１）のデータのみが収集される。
【００７４】
期間Ｐ２（時点ｔ２０〜時点ｔ３０）では、ビューＶ１２８〜Ｖｉ＋１のデータと、ビューＶ−ｊ〜Ｖ−１２７のデータが収集される。ビューＶ１２８〜Ｖｉ＋１およびビューＶ−ｊ〜Ｖ−１２７には、高周波成分の情報を含むデータが配置される。
【００７５】
期間Ｐ３（時点ｔ３０〜時点ｔ４０）では、低周波成分の情報を含むビューＶｉ〜Ｖ−（ｊ−１）のデータのうち、残りのビューＶｉ〜Ｖ１のデータが収集される。
【００７６】
第５の形態ではでは、低周波成分の情報を含むビューＶｉ〜Ｖ−（ｊ−１）のデータを収集しているときに、被検者に頭部を動かさないように特に意識してもらうために、以下のような音声メッセージを出力しながら、スキャンＳＣ４を実行する。
【００７７】
図１０は、スキャンＳＣ４を実行するときに流される音声メッセージの説明図である。
スキャンＳＣ４を実行するときには、スピーカ５から４つの音声メッセージＤ１、Ｄ２、Ｄ３、Ｄ４が出力される。これらの音声メッセージＤ１、Ｄ２、Ｄ３、Ｄ４を出力するときのタイミングは、スキャンＳＣ４を実行する前に設定される。以下に、音声メッセージＤ１、Ｄ２、Ｄ３、Ｄ４を出力するときのタイミングを設定する方法について説明する。
【００７８】
（ｉ）音声メッセージＤ１について
スキャンＳＣ４では、スキャンＳＣ４の開始と同時に、低周波成分の情報を含むビューＶ０〜Ｖ−（ｊ−１）のデータを収集する順番が来る。この場合、スキャンＳＣ４を開始する前に、以下のような音声メッセージＤ１が出力される。
【００７９】
音声メッセージＤ１：「これからスキャンを開始します。スキャン時間はｘ１分です。なるべく動かないようにしてください。また、スキャン開始直後から１回目の重要な撮影に入りますので、これよりｘ２秒は特に動かないようお願いします。」
ここで、ｘ２秒は、１回目の重要な撮影を行うときに、被検者に動きを止めてもらう時間を表している。
【００８０】
ｘ１は、例えばｘ１＝１分であり、ｘ２は、例えばｘ２＝１２秒である。タイミング設定手段９１（図１参照）は、スキャンＳＣ４の開始時点ｔ１０の前（低周波成分の情報を含むビューＶ０〜Ｖ−（ｊ−１）のデータが収集される順番が来る前）に音声メッセージＤ１が出力されるように、音声メッセージＤ１を出力するときのタイミングを設定する。スキャンＳＣ４の開始前に音声メッセージＤ１が流れるので、被検者に、スキャン開始直後からｘ２秒は特に動かないように意識させることができる。音声メッセージＤ１が終了した後に、スキャンＳＣ４が開始される。尚、ｘ２秒は、低周波成分の情報を含むビューＶ０〜Ｖ−（ｊ−１）のデータを収集し終わるまでに必要な時間を考慮して設定されている。したがって、被検者が特に動かないように意識している間に、低周波成分の情報を含むビューＶ０〜Ｖ−（ｊ−１）のデータを収集することができる。
【００８１】
（ii）音声メッセージＤ２について
音声メッセージＤ２は、以下のようなメッセージである。
「１回目の重要な撮影は終了しましたが、後で２回目の重要な撮影を行いますので、それまで、できる限り動かないようお願いします。」
【００８２】
タイミング設定手段９１は、ビューＶ０〜Ｖ−（ｊ−１）のデータ収集の終了時点ｔ２０の直後に、被検者が音声メッセージＤ２を聞くことができるように、音声メッセージＤ２を出力するタイミングを設定する。被検者は、音声メッセージＤ２を聞くことによって、１回目の重要な撮影が終了したことを知ることができるので、被検者の精神的負担を軽減することができる。
【００８３】
（iii）音声メッセージＤ３について
音声メッセージＤ３は、以下のようなメッセージである。
「これより２回目の重要な撮影に入りますので、ｘ３秒特に動かないようお願いします。」
ここで、ｘ３秒は、２回目の重要な撮影を行うときに、被検者に動きを止めてもらう時間を表している。
【００８４】
タイミング設定手段９１は、低周波成分の情報を含むビューＶｉ〜Ｖ１のデータが収集される順番が来る直前に音声メッセージＤ３が出力されるように、音声メッセージＤ３を出力するときのタイミングを設定する。この設定は、以下のようにして行う。
【００８５】
先ず、タイミング設定手段９１は、低周波成分の情報を含むビューＶｉ〜Ｖ１のデータが収集される順番を検出する。ｋ空間のビューのデータの収集順序は決まっているので、タイミング設定手段９１は、低周波成分の情報を含むビューＶｉ〜Ｖ１のデータが収集される順番を検出することができる。次に、タイミング設定手段９１は、低周波成分の情報を含むビューＶｉ〜Ｖ１のデータを収集する順番が来る前に音声メッセージＤ３が出力されるように、音声メッセージＤ３の開始時点ｔ２１を設定する。ここでは、音声メッセージＤ３の開始時点ｔ２１は、音声メッセージＤ２が終了してから待ち時間ΔＴａが経過した時点に設定されている。タイミング設定手段９１は、音声メッセージＤ３の時間長ｄ３を考慮して、ビューＶｉ〜Ｖ１のデータ収集開始時点ｔ３０の前に音声メッセージＤ３が終了するように、待ち時間ΔＴａを設定する。
【００８６】
被検者は、低周波成分の情報を含むビューＶｉ〜Ｖ１のデータを収集する順番が来る直前に音声メッセージＤ３を聞き終えることができる。したがって、低周波成分の情報を含むビューＶｉ〜Ｖ１のデータを収集する直前の段階で、被検者に、ｘ３秒特に動かないように意識させることができる。ｘ３は、低周波成分の情報を含むビューＶｉ〜Ｖ１のデータを収集し終わるまでに必要な時間を考慮して設定されている。例えば、ｘ３＝１２秒である。したがって、被検者が特に動かないように意識している間に、低周波成分の情報を含むビューＶｉ〜Ｖ１のデータを収集することができる。
【００８７】
尚、待ち時間ΔＴａを決定する代わりに、音声メッセージＤ３を開始するためのトリガとなるビューを決定することにより、音声メッセージＤ３を出力するタイミングを設定してもよい。
【００８８】
（iv）音声メッセージＤ４について
音声メッセージＤ４は、以下のようなメッセージである。
「スキャンは終了しました。楽にしてください。」
【００８９】
タイミング設定手段９１は、ｋ空間の全てのビューのデータ収集の終了時点ｔ４０の直後に、被検者が音声メッセージＤ４を聞くことができるように、音声メッセージＤ４を出力するタイミングを設定する。被検者は、音声メッセージＤ４を聞くことによって、スキャンが終了したことを知ることができる。
【００９０】
第５の形態では、図１０に示すように、低周波成分の情報を含むビューＶｉ〜Ｖ−（ｊ−１）のデータは、２つの期間Ｐ１（時点ｔ１０〜ｔ２０）およびＰ３（時点ｔ３０〜ｔ４０）に分けて収集されている。このような場合は、各期間Ｐ１およびＰ３の直前に、被検者に動かないように意識させるための音声メッセージＤ１およびＤ３を出力すればよい。
【００９１】
尚、第５の形態では、低周波成分の情報を含むビューＶｉ〜Ｖ−（ｊ−１）のデータは、２つの期間Ｐ１およびＰ３に分けて収集されているが、３つ以上の期間に分けて収集してもよい。この場合、各期間の直前に、被検者に動かないように意識させるための音声メッセージを出力すればよい。
【００９２】
（６）第６の形態
第６の形態では、低周波成分の情報を含むビューＶｉ〜Ｖ−（ｊ−１）のデータを２つの期間に分けて収集する別の例について説明する。尚、ＭＲ装置のハードウェア構成は、第１の形態と同じである。
【００９３】
図１１は、第６の形態で実行されるスキャンＳＣ５の説明図である。
図１１の下側にはｋ空間が示されている。ここでは、２５６本のビューＶ１２８〜Ｖ−１２７を有しているｋ空間の例が示されている。また、図１１の上側には、スキャンＳＣ５の開始時点ｔ１０から終了時点ｔ６０までに収集されるビューのデータを、５つの期間Ｐ１〜期間Ｐ５に分けて示している。
【００９４】
低周波成分の情報を含むビューＶｉ〜Ｖ−（ｊ−１）のデータのうち、ビューＶ０〜Ｖ−（ｊ−１）のデータは、期間Ｐ２（時点ｔ２０〜時点ｔ３０）で収集され、ビューＶｉ〜Ｖ１のデータは、期間Ｐ４（時点ｔ４０〜時点ｔ５０）で収集される。他のビューＶ１２８〜Ｖｉ＋１およびＶ−ｊ〜Ｖ−１２７のデータは、期間Ｐ１、Ｐ３、Ｐ５で収集される。
【００９５】
第６の形態ではでは、低周波成分の情報を含むデータを収集しているときに、被検者に頭部を動かさないように特に意識してもらうために、以下のような音声メッセージを出力しながら、スキャンＳＣ５を実行する。
【００９６】
図１２は、スキャンＳＣ５を実行するときに流される音声メッセージの説明図である。
スキャンＳＣ５を実行するときには、スピーカ５から６つの音声メッセージＥ１、Ｅ２、Ｅ３、Ｅ４、Ｅ５、Ｅ６が出力される。これらの音声メッセージＥ１、Ｅ２、Ｅ３、Ｅ４、Ｅ５、Ｅ６を出力するときのタイミングは、スキャンＳＣ５を実行する前に設定される。以下に、音声メッセージＥ１、Ｅ２、Ｅ３、Ｅ４、Ｅ５、Ｅ６を出力するときのタイミングを設定する方法について説明する。
【００９７】
（ｉ）音声メッセージＥ１について
音声メッセージＥ１は、以下のようなメッセージである。
「これからスキャンを開始します。スキャン時間はｘ１分です。なるべく動かないようにしてください。」
【００９８】
ｘ１は、例えばｘ１＝１分である。タイミング設定手段９１（図１参照）は、スキャンＳＣ５の開始時点ｔ１０の直前に音声メッセージＥ１が出力されるように、音声メッセージＥ１を出力するときのタイミングを設定する。スキャンＳＣ５の開始時点ｔ１０の直前に音声メッセージＥ１が流れるので、被検者は、スキャンＳＣ５の直前に、なるべく動かないように意識することができる。被検者になるべく動かないように意識させておき、スキャンＳＣ５を開始する。
【００９９】
（ii）音声メッセージＥ２について
音声メッセージＥ２は、以下のようなメッセージである。
「これより１回目の重要な撮影に入りますので、ｘ２秒特に動かないようお願いします。」
ここで、ｘ２秒は、１回目の重要な撮影を行うときに、被検者に動きを止めてもらう時間を表している。
【０１００】
タイミング設定手段９１は、低周波成分の情報を含むビューＶ０〜Ｖ−（ｊ−１）のデータが収集される順番が来る直前に音声メッセージＥ２が出力されるように、音声メッセージＥ２を出力するときのタイミングを設定する。この設定は、以下のようにして行う。
【０１０１】
先ず、タイミング設定手段９１は、低周波成分の情報を含むビューＶ０〜Ｖ−（ｊ−１）のデータが収集される順番を検出する。ｋ空間のビューのデータの収集順序は決まっているので、タイミング設定手段９１は、低周波成分の情報を含むビューＶ０〜Ｖ−（ｊ−１）のデータが収集される順番を検出することができる。次に、タイミング設定手段９１は、低周波成分の情報を含むビューＶ０〜Ｖ−（ｊ−１）のデータを収集する順番が来る前に音声メッセージＥ２が出力されるように、音声メッセージＥ２の開始時点ｔ１１を設定する。ここでは、音声メッセージＥ２の開始時点ｔ１１は、スキャンＳＣ５の開始時点ｔ１０から待ち時間ΔＴａが経過した時点に設定されている。タイミング設定手段９１は、音声メッセージＥ２の時間長ｅ２を考慮して、ビューＶ０〜Ｖ−（ｊ−１）のデータ収集開始時点ｔ２０の前に音声メッセージＥ２が終了するように、待ち時間ΔＴａを設定する。
【０１０２】
被検者は、低周波成分の情報を含むビューＶ０〜Ｖ−（ｊ−１）のデータを収集する順番が来る直前に音声メッセージＥ２を聞き終えることができる。したがって、低周波成分の情報を含むビューＶ０〜Ｖ−（ｊ−１）のデータを収集する直前の段階で、被検者に、ｘ２秒特に動かないように意識させることができる。ｘ２は、低周波成分の情報を含むビューＶ０〜Ｖ−（ｊ−１）のデータを収集し終わるまでに必要な時間を考慮して設定されている。例えば、ｘ２＝１２秒である。したがって、被検者が特に動かないように意識している間に、低周波成分の情報を含むビューＶ０〜Ｖ−（ｊ−１）のデータを収集することができる。
【０１０３】
尚、待ち時間ΔＴａを決定する代わりに、音声メッセージＥ２を開始するためのトリガとなるビューを決定することにより、音声メッセージＥ２を出力するタイミングを設定してもよい。
【０１０４】
（iii）音声メッセージＥ３について
音声メッセージＥ３は、以下のようなメッセージである。
「１回目の重要な撮影は終了しましたが、後で２回目の重要な撮影を行いますので、それまで、できる限り動かないようお願いします。」
【０１０５】
タイミング設定手段９１は、ビューＶ０〜Ｖ−（ｊ−１）のデータ収集の終了時点ｔ３０の直後に、被検者が音声メッセージＥ３を聞くことができるように、音声メッセージＥ３を出力するタイミングを設定する。被検者は、音声メッセージＥ３を聞くことによって、１回目の重要な撮影が終了したことを知ることができるので、被検者の精神的負担を軽減することができる。
【０１０６】
（iv）音声メッセージＥ４について
音声メッセージＥ４は、以下のようなメッセージである。
「これより２回目の重要な撮影に入りますので、ｘ３秒特に動かないようお願いします。」
ここで、ｘ３秒は、２回目の重要な撮影を行うときに、被検者に動きを止めてもらう時間を表している。
【０１０７】
タイミング設定手段９１は、低周波成分の情報を含むビューＶｉ〜Ｖ１のデータが収集される順番が来る直前に音声メッセージＥ４が出力されるように、音声メッセージＥ４を出力するときのタイミングを設定する。この設定は、以下のようにして行う。
【０１０８】
先ず、タイミング設定手段９１は、低周波成分の情報を含むビューＶｉ〜Ｖ１のデータが収集される順番を検出する。ｋ空間のビューのデータの収集順序は決まっているので、タイミング設定手段９１は、低周波成分の情報を含むビューＶｉ〜Ｖ１のデータが収集される順番を検出することができる。次に、タイミング設定手段９１は、低周波成分の情報を含むビューＶｉ〜Ｖ１のデータを収集する順番が来る前に音声メッセージＥ４が出力されるように、音声メッセージＥ４の開始時点ｔ３１を設定する。ここでは、音声メッセージＥ４の開始時点ｔ３１は、音声メッセージＥ３が終了してから待ち時間ΔＴｂが経過した時点に設定されている。タイミング設定手段９１は、音声メッセージＥ４の時間長ｅ４を考慮して、ビューＶｉ〜Ｖ１のデータ収集開始時点ｔ４０の前に音声メッセージＥ４が終了するように、待ち時間ΔＴｂを設定する。
【０１０９】
被検者は、低周波成分の情報を含むビューＶｉ〜Ｖ１のデータを収集する順番が来る直前に音声メッセージＥ４を聞き終えることができる。したがって、低周波成分の情報を含むビューＶｉ〜Ｖ１のデータを収集する直前の段階で、被検者に、ｘ３秒特に動かないように意識させることができる。ｘ３は、低周波成分の情報を含むビューＶｉ〜Ｖ１のデータを収集し終わるまでに必要な時間を考慮して設定されている。例えば、ｘ３＝１２秒である。したがって、被検者が特に動かないように意識している間に、低周波成分の情報を含むビューＶｉ〜Ｖ１のデータを収集することができる。
【０１１０】
尚、待ち時間ΔＴｂを決定する代わりに、音声メッセージＥ４を開始するためのトリガとなるビューを決定することにより、音声メッセージＥ４を出力するタイミングを設定してもよい。
【０１１１】
（ｖ）音声メッセージＥ５について
音声メッセージＥ５は、以下のようなメッセージである。
「重要な撮影は終了しましたが、撮影は続いていますので、できる限り動かないようお願いします。」
【０１１２】
タイミング設定手段９１は、ビューＶｉ〜Ｖ１のデータ収集の終了時点ｔ５０の直後に、被検者が音声メッセージＥ５を聞くことができるように、音声メッセージＥ５を出力するタイミングを設定する。被検者は、音声メッセージＥ５を聞くことによって、重要な撮影が終了したことを知ることができるので、被検者の精神的負担を軽減することができる。
【０１１３】
（vi）音声メッセージＥ６について
音声メッセージＥ６は、以下のようなメッセージである。
「スキャンは終了しました。楽にしてください。」
【０１１４】
タイミング設定手段９１は、ｋ空間の全てのビューのデータ収集の終了時点ｔ６０の直後に、被検者が音声メッセージＥ６を聞くことができるように、音声メッセージＥ６を出力するタイミングを設定する。被検者は、音声メッセージＥ６を聞くことによって、スキャンが終了したことを知ることができる。
【０１１５】
第６の形態では、低周波成分の情報を含むビューＶｉ〜Ｖ−（ｊ−１）のデータは、２つの期間Ｐ２（時点ｔ２０〜ｔ３０）およびＰ４（時点ｔ４０〜ｔ５０）に分けて収集されている。このような場合は、各期間Ｐ２およびＰ４の直前に、被検者に動かないように意識させるための音声メッセージＥ２およびＥ４を出力すればよい。
【０１１６】
尚、図１２では、音声メッセージＥ２と音声メッセージＥ５との間に、２つの音声メッセージＥ３およびＥ４を出力している。しかし、音声メッセージＥ３およびＥ４を省略することも可能である（図１３参照）。
【０１１７】
図１３は、音声メッセージＥ３およびＥ４を省略した場合の説明図である。
図１３では、音声メッセージＥ２は、以下のようなメッセージである。
「これより重要な撮影に入りますので、ｘ２秒特に動かないようお願いします。」
【０１１８】
ｘ２秒は、低周波成分の情報を含むビューＶ０〜Ｖ−（ｊ−１）およびビューＶｉ〜Ｖ１のデータを収集し終わるまでに必要な時間を考慮して設定されている。このようにｘ２を設定しておけば、低周波成分の情報を含む全てのビューＶｉ〜Ｖ−（ｊ−１）のデータを収集している間は、被検者に特に動かないように意識させることができるので、スキャンＳＣ５の間に出力する音声メッセージの回数を少なくすることができる。
【０１１９】
尚、第１〜第６の形態では、被検体の生体信号（例えば、心電信号、脈波信号、呼吸信号）を収集することについては説明されていないが、本発明は、被検体の生体信号を収集し、生体信号に基づいてスキャンを行う場合にも適用することができる。生体信号に基づいてスキャンを行う例としては、心電信号や脈波信号に基づいて血流を撮影するためのスキャンを行う例や、呼吸信号に基づいて肝臓や腎臓を撮影するためのスキャンを行う例など、様々な例がある。しかし、生体信号は被検者ごとに異なるので、生体信号に依存してスキャン時間が変わってくることがある。スキャン時間が変わると、低周波成分の情報を含むビューのデータの収集開始時点がずれるので、音声メッセージの待ち時間ΔＴａおよびΔＴｂの最適値も違ってくる。したがって、生体信号に基づいてスキャンを行う場合は、スキャンを開始する前に、事前に被検者の生体信号を取得し、取得した生体信号から得られた情報（例えば、生体信号の周期）に基づいて、待ち時間ΔＴａおよびΔＴｂを決定することが望ましい。例えば、心電信号や脈波信号を収集する場合は、心拍周期に基づいて待ち時間ΔＴａおよびΔＴｂを決定することができ、また、呼吸信号を収集する場合は、呼吸周期に基づいて待ち時間ΔＴａおよびΔＴｂを決定することができる。更に、生体信号の周期はスキャンの実行中にも変動することがあるので、スキャン中に収集した生体信号に基づいて、待ち時間ΔＴａおよびΔＴｂを修正してもよい。
【０１２０】
また、待ち時間の代わりに、音声メッセージを被検者に知らせるためのトリガとなるビューＶを決定する場合は（図４参照）、生体信号に基づいてトリガとなるビューＶを決定することができる。更に、スキャンの実行中にも生体信号を収集し、収集した生体信号に基づいて、音声メッセージを被検者に知らせるためのトリガとなるビューを別のビューに変更してもよい。
【０１２１】
第１〜第６の形態では、ｋ空間のビューに配置されるデータを収集する例について説明したが、本発明は、ｋ空間のビューに配置されるデータを収集する場合に限定されることはなく、例えば、スパイラルスキャンのように、スパイラル軌跡に配置されるデータを収集する場合にも適用することができる。スパイラル軌跡に配置されるデータを収集する場合であっても、低周波成分の情報を含むデータを収集する順番に基づいて音声メッセージを出力することにより、低周波成分の情報を含むデータを収集する前に、被検者に動かないように意識させることができる。
【０１２２】
また、第１〜第６の形態では、２Ｄスキャンによりｋ空間のデータを収集する場合について説明されているが、本発明は、ボリュームスキャンによってデータを収集する場合にも適用することができる。
【０１２３】
更に、第１〜第６の形態では、スピーカ５から音声メッセージを出力している。しかし、スピーカ５から音声メッセージを出力する代わりに、被検者１２が動かないようにするためのメッセージを別の方法で被検者１２に知らせてもよい。例えば、ボア２１の内壁に表示パネルを備え、表示パネルに、被検者が動かないようにするためのメッセージを表示し、表示パネルに表示されたメッセージを被検者に見せることによって、被検者が動かないようにしてもよい。
【符号の説明】
【０１２４】
２  マグネット
３  テーブル
３ａ  クレードル
４  受信コイル
５  スピーカ
６  送信器
７  勾配磁場電源
８  受信器
９  制御部
１０  操作部
１１  表示部
１２  被検者
２１  ボア
２２  超伝導コイル
２３  勾配コイル
２４  ＲＦコイル
９１  タイミング設定手段
９２  再構成手段
１００、２００、３００、４００、５００、６００  ＭＲ装置
【図１】
2013230181.tif 000003
【図２】
2013230181.tif 000004
【図３】
2013230181.tif 000005
【図４】
2013230181.tif 000006
【図５】
2013230181.tif 000007
【図６】
2013230181.tif 000008
【図７】
2013230181.tif 000009
【図８】
2013230181.tif 000010
【図９】
2013230181.tif 000011
【図１０】
2013230181.tif 000012
【図１１】
2013230181.tif 000013
【図１２】
2013230181.tif 000014
【図１３】
2013230181.tif 000015